(57)【要約】【課題】浴槽の跨ぎ込み高さを従来よりも低くすること。【解決手段】循環経路６の吸込口４が浴槽１の側壁１ａの最下部１ｂに開口しており、循環経路６から分岐して先端排水口９ａが洗い場床パン７の下方に設置した洗い場排水トラップ８に接続される分岐排水路９を設け、分岐排水路９の先端排水口９ａを吸込口４よりも高い位置に設置すると共に、循環経路６の途中に吸込口４から吸い込んだ浴水２を吐水口５側に戻す第１の態様と分岐排水路９側に排出する第２の態様とを切り替えるための切替弁１０を設けた浴室である。【選択図】図１
2008264390.tif 000002
【特許請求の範囲】
【請求項１】
浴槽内の浴水を循環ポンプにて吸込口から吸い込んで吐水口から浴槽内に戻す循環経路を備えた浴槽と、該浴槽に隣接配置される洗い場床パンとを備えた浴室であって、上記循環経路の吸込口が浴槽の側壁の最下部に開口しており、上記循環経路から分岐して先端排水口が洗い場床パンの下方に配置した洗い場排水トラップに接続される分岐排水路を設け、上記分岐排水路の先端排水口を上記吸込口よりも高い位置に設置すると共に、上記循環経路の途中に吸込口から吸い込んだ浴水を吐水口側に戻す第１の態様と分岐排水路側に排出する第２の態様とを切り替えるための切替弁を設けてなることを特徴とする浴室。
【請求項２】
上記浴水を洗濯水として利用する構造において、上記循環経路の途中から分岐排水路とは別ルートの洗濯機給水路を分岐接続し、上記切替弁は吸込口から吸い込んだ浴水を洗濯機給水路側に排出する第３の態様を備えると共に、洗濯機に接続される上記洗濯機給水路の先端給水口を上記浴槽の吸込口よりも高い位置に設置してなることを特徴とする請求項１記載の浴室。
【請求項３】
上記切替弁の下流に負圧センサを設け、洗濯機からの給水要求に応じて負圧センサが働いて洗濯機への給水・止水を制御することを特徴とする請求項２記載の浴室。
【発明の詳細な説明】
【技術分野】
【０００１】
本発明は、浴槽と洗い場床パンとが隣接配置された浴室に関し、詳しくは浴槽の跨ぎ込み高さを低くするための技術に関するものである。
【背景技術】
【０００２】
集合住宅のユニットバスにおいては、浴槽の排水は、浴槽の底部に設けた排水口の排水栓を開放して行う方式が一般的である。（例えば、特許文献１参照）
しかしながら上記特許文献１の従来例では、浴槽の底部の排水口を開いて浴槽排水トラップに浴水を排出する構造であるため、浴槽の下方に浴槽排水トラップや配管類の設置スペースが必要となり、これに伴い浴槽全体の高さが必然的に高くなり、結果、洗い場床パンから立ち上がる浴槽の側壁の高さ、つまり、跨ぎ込み高さが高くなることにより、特に身体障害者、高齢者、病人などの被介護者にとって入浴動作に困難を伴い、安全性に劣るという問題があった。
【特許文献１】実用新案登録第２５１０８９９号
【発明の開示】
【発明が解決しようとする課題】
【０００３】
本発明は上記の従来の問題点に鑑みて発明したものであって、切替弁の切り替えによって１つの循環ポンプで浴水の循環／排水が可能となり、浴槽の下方の浴槽排水トラップを設置する必要がなく、これにより浴槽を従来よりも低い位置に設置可能となり、これにより浴槽の跨ぎ込み高さを従来よりも低くすることが容易な浴室を提供することを課題とするものであり、さらに、切替弁と１つの循環ポンプとで浴槽内の浴水（残り湯）を洗濯水として再利用可能な浴室を提供することを課題とするものである。
【課題を解決するための手段】
【０００４】
前記課題を解決するために本発明は、浴槽１内の浴水２を循環ポンプ３にて吸込口４から吸い込んで吐水口５から浴槽１内に戻す循環経路６を備えた浴槽１と、該浴槽１に隣接配置される洗い場床パン７とを備えた浴室であって、上記循環経路６の吸込口４が浴槽１の側壁１ａの最下部１ｂに開口しており、上記循環経路６から分岐して先端排水口９ａが洗い場床パン７の下方に設置した洗い場排水トラップ８に接続される分岐排水路９を設け、上記分岐排水路９の先端排水口９ａを上記吸込口４よりも高い位置に設置すると共に、上記循環経路６の途中に吸込口４から吸い込んだ浴水２を吐水口５側に戻す第１の態様と分岐排水路９側に排出する第２の態様とを切り替えるための切替弁１０を設けてなることを特徴としている。
【０００５】
このような構成とすることで、浴水２の排水時に切替弁１０を第１の態様から第２の態様に切り替えることで、吸込口４から吸い込んだ浴水２を分岐排水路９を経由して洗い場排水トラップ８に排水可能となり、しかも排水時には循環ポンプ３と分岐排水路９とを利用して、浴槽１の最下部１ｂに設けた吸込口４からそれよりも高い洗い場排水トラップ８側に排水できるので、従来のように浴槽１の下方に浴槽排水トラップを設ける必要がなくなる。従って、その分だけ浴槽１を低い位置に設置可能となり、これに伴い洗い場床パン７から立ち上がる浴槽１の側壁１ａの跨ぎ込み高さＥを低くすることが容易となる。
【０００６】
また、上記浴水２を洗濯水として利用する構造において、上記循環経路６の途中から分岐排水路９とは別ルートの洗濯機給水路１１を分岐接続し、上記切替弁１０は吸込口４から吸い込んだ浴水２を洗濯機給水路１１側に排出する第３の態様を備えると共に、洗濯機に接続される上記洗濯機給水路１１の先端給水口を上記浴槽１の吸込口４よりも高い位置に設置してなるのが好ましく、この場合、切替弁１０と１つの循環ポンプ３とを利用して浴槽１内の浴水２（残り湯）を洗濯水として再利用可能となる。
【０００７】
また、上記切替弁１０の下流に負圧センサ１２を設け、洗濯機からの給水要求に応じて負圧センサ１２が働いて洗濯機への給水・止水を制御するのが好ましく、この場合、負圧センサ１２を用いて切替弁１０による洗濯機給水路１１から洗濯機内への給水・止水の制御が可能となる。
【発明の効果】
【０００８】
本発明は、切替弁の切り替えによって１つの循環ポンプで浴水の循環／排水を可能にしたことにより、従来のように浴槽の下方に浴槽排水トラップを設ける必要がなくなり、結果、その分だけ浴槽を低い位置に設置でき、浴槽の跨ぎ込み高さを従来よりも低くすることが容易となるので、特に身体障害者、高齢者、病人などの被介護者にとって入浴動作が楽になり、安全性を確保できるものである。
【０００９】
また本発明は、切替弁と１つの循環ポンプとを利用して浴槽内の浴水（残り湯）を洗濯水として再利用可能となる。
【発明を実施するための最良の形態】
【００１０】
以下、本発明を添付図面に示す実施形態に基いて説明する。
【００１１】
図１は、本実施形態の浴室の概略構成図であり、浴槽１と洗い場床パン７とが隣接配置されている。浴槽１には、浴水２を循環ポンプ３にて吸込口４から吸い込んで吐水口５から浴槽１内に戻す循環経路６が設けられている。
【００１２】
図１において、浴槽１の跨ぎ込み高さＥ、つまり洗い場床パン７から浴槽１の側壁１ａの上端縁に至る高さは例えば１５０ｍｍとされている。勿論この数値に限定されるものではない。なお、本例の浴槽１の上面開口幅Ｆは例えば８００ｍｍ、喫水面１３から浴槽最下部までの最大深さＡは例えば４５０ｍｍ、喫水面１３から座部１４までの最小深さＣは例えば１５０ｍｍ、座部１４から浴槽最下部までの深さＤは例えば３００ｍｍとされている。なおＦＬは床高さである。
【００１３】
上記循環ポンプ３及び循環経路６は、浴槽１の側方に配置されると共に、循環経路６の吸込口４は浴槽１の側壁１ａの最下部１ｂに開口している。なお吐水口５は浴槽１の側壁１ａの吸込口４よりも上方位置に開口している。
【００１４】
上記循環経路６は、吸込口４と循環ポンプ３との間が往き水路６ａとなり、循環ポンプ３と吐水口５との間が戻り水路６ｂとなっており、戻り水路６ｂの途中には、分岐排水路９と洗濯機給水路１１とがそれぞれ分岐している。
【００１５】
上記分岐排水路９の先端排水口９ａは、洗い場床パン７の下方に配置した洗い場排水トラップ８に接続されており、洗い場排水トラップ８は外部の排水管３０に接続されている。この分岐排水路９の先端排水口９ａの高さは、浴槽１の側壁１ａの最下部１ｂに開口している吸込口４よりも高い位置に設置されている。
【００１６】
一方、洗濯機給水路１１は、分岐排水路９とは別ルートで脱衣室や洗面室等に設置される洗濯機まで延びており、この洗濯機給水路１１の先端給水口が洗濯機に接続されている。洗濯機給水路１１の先端給水口の高さは、浴槽１の側壁１ａの最下部１ｂに開口している吸込口４よりも高い位置に設置されている。
【００１７】
上記循環経路６の戻り水路６ｂと分岐排水路９と洗濯機給水路１１との分岐位置には、切替弁１０が配置されている。この切替弁１０は、吸込口４から吸い込んだ浴水２を、戻り水路６ｂ、分岐排水路９、洗濯機給水路１１のいずれか１つの水路に切り替えるための排水三方弁で構成されており、吸込口４から吸い込んだ浴水２を吐水口５側に戻してジェットバス運転を行なう第１の態様（ジェット機能）と、分岐排水路９側に排出する第２の態様（排水機能）と、洗濯機給水路１１側に排出する第３の態様（中水利用機能）とを切り替える機能を有している。
【００１８】
浴室内には、切替弁１０を切り替えてジェットバス運転モード、排水モード、洗濯機給水モードのいずれか１つのモードを選択するための操作スイッチ（図示せず）が設けられている。
【００１９】
先ず、入浴中にジェットバス運転モードを選択すると、図２に示すように、切替弁１０は戻り水路６ｂ側に切り替わる第１の態様となり、循環ポンプ３にて吸込口４から吸い込んだ浴水２が矢印ａ方向の戻り水路６ｂを経由して吐水口５から噴流として浴槽１内に噴出させるジェットバス運転が開始される。なお、循環経路６の途中に空気取り入れ口（図示せず）を設けることで、吸い込んだ浴水２中に空気を混入させて、浴水２と共に気泡を浴槽１内部に噴射させる気泡運転が可能となり、さらに、吸込口４から吸い込んだ浴水２に空気を溶解させると共に空気を溶解した浴水２を浴槽１内に吐出することで浴槽１内で微細気泡を発生させる微細気泡発生運転も可能となる。
【００２０】
次に、入浴後に排水モードを選択すると、図３に示すように、切替弁１０は分岐排水路９側に切り替わる第２の態様となり、循環ポンプ３にて吸込口４から吸い込んだ浴水２が矢印ｂ方向の分岐排水路９を経由して洗い場床パン７の下方に設置した洗い場排水トラップ８へと排水される。このとき循環ポンプ３は揚水ポンプとして働く。つまり、切替弁１０が第２の態様に切り替えられると、循環ポンプ３の駆動力によって浴水２が低い吸込口４からそれよりも高い分岐排水路９の先端排水口９ａを経由して洗い場排水トラップ８内へ圧送され、さらに洗い場排水トラップ８に接続される排水管３０から外部に排水されるようになる。ここで、切替弁１０は、浴水排水時以外のときは前記第１の態様、或いは、後述する第３の態様のいずれかに切り替えられるので、洗い場排水トラップ８内に溜められている水が分岐排水路９から循環経路６内部に逆流することを切替弁１０の箇所で阻止でき、これにより洗い場排水トラップ８の封水切れを防止できるものである。
【００２１】
一方、入浴後に洗濯機給水モードを選択すると、図４に示すように、切替弁１０は洗濯機給水路１１側に切り替わる第３の態様となり、浴水２が矢印ｃ方向の洗濯機給水路１１を経由して洗濯機内部に供給可能とされ、残り湯を洗濯水として再利用できるようになる。
【００２２】
しかして、浴水２の排水時に切替弁１０を第１の態様から第２の態様に切り替えることで、吸込口４から吸い込んだ浴水２を分岐排水路９を経由して洗い場排水トラップ８に排水可能となるので、切替弁１０の切り替えによって１つの循環ポンプ３で浴水２の循環／排水が可能となる。しかも、吸込口４を浴槽１の側壁１ａの最下部１ｂに配置し、この吸込口４よりも高い位置において循環経路６から分岐した分岐排水路９の先端排水口９ａを洗い場排水トラップ８に接続したので、循環ポンプ３により排水時に吸込口４からこれよりも高い位置に揚水させて洗い場排水トラップ８内に排水できるようになる。従って、従来のように浴槽１の下方に浴槽排水トラップを設ける必要がなくなるため、その分だけ浴槽１を低い位置に設置可能となる。これに伴い洗い場床パン７から立ち上がる浴槽１の側壁１ａの跨ぎ込み高さＥを従来よりも低い高さ、本例では１５０ｍｍ程度まで低くすることができる。このように浴槽１の跨ぎ込み高さＥを極力低くすることによって、跨ぐ際に浴槽１と洗い場床パン７とから足が浮きあがることがなく、身体が安定するため、特に身体障害者、高齢者、病人などの被介護者にとって入浴動作が楽になり、安全性を確保できるものである。
【００２３】
また、浴水２の排水時には循環ポンプ３は揚水ポンプとして機能するので、ポンプの数を増やす必要がなくなり、浴室を簡易な構造にできる。
【００２４】
また、本例では、切替弁１０と１つの循環ポンプ３とを利用して浴槽１内の浴水２（残り湯）を洗濯水として再利用可能なシステムを実現できるものである。ここでは、図４に示すように、切替弁１０の下流に負圧センサ１２を設け、洗濯機からの給水要求に応じて負圧センサ１２が働いて洗濯機への給水・止水を制御するようにしている。つまり、洗濯機からの給水要求（例えば洗濯機内蔵の揚水ポンプが駆動）があると、洗濯機給水路１１内が負圧となり、これを負圧センサ１２が検出すると、制御部は切替弁１０を第３の態様に切り替える。これにより、浴槽１内の浴水２が図の矢印ｃ方向の洗濯機給水路１１を経由して洗濯機内へ給水されるようになる。本例では循環ポンプ３は駆動せず、吐水口５から戻り水路６ｂ→切替弁１０→洗濯機給水路１１を経由して残り湯が洗濯機に供給される。その後、洗濯機内蔵の揚水ポンプの駆動が停止して負圧センサ１２が負圧を検出しなくなると、切替弁１０が第１の態様に戻り、洗濯機内への給水が自動的に停止される。
【図面の簡単な説明】
【００２５】
【図１】本発明の一実施形態の浴室において浴槽の跨ぎ込み高さを低くした場合を説明する概略構成図である。
【図２】同上の浴槽をジェットバス運転モードにする場合の浴水の流れを説明する概略構成図である。
【図３】同上の浴槽内の浴水を洗い場排水トラップに排水する場合の浴水の流れを説明する概略構成図である。
【図４】同上の浴槽内の浴水（残り湯）を洗濯水として再利用する場合の浴水の流れを説明する概略構成図である。
【符号の説明】
【００２６】
１  浴槽
１ａ  浴槽の側壁
１ｂ  最下部
２  浴水
３  循環ポンプ
４  吸込口
５  吐水口
６  循環経路
７  洗い場床パン
８  洗い場排水トラップ
９  分岐排水路
９ａ  先端排水口
１０  切替弁
１１  洗濯機給水路
１２  負圧センサ
【図１】
2008264390.tif 000003
【図２】
2008264390.tif 000004
【図３】
2008264390.tif 000005
【図４】
2008264390.tif 000006